(57)【要約】【課題】無線ネットワーク内のホストデバイスの消費電力を低減するための方法および装置を提供する。【解決手段】本発明の一実施形態によれば、方法（３０）は、ホストデバイス１２の無線ローカルエリアネットワーク（ＬＡＮ）デバイス１６から無線ネットワーク１０のアクセスポイント１４へ、該アクセスポイント１４から切り離す要求を送信するステップ（３６）であって、該切り離す要求は、上記ホストデバイス１２に対する復帰イベントを監視する要求をさらに含む、ステップと、上記切離し要求の送信後に、上記無線ＬＡＮデバイス１６の送受信機１８のスイッチをオフにするステップ（４０）と、を含む。【選択図】図２
2005287030.tif 000002
【特許請求の範囲】
【請求項１】
ホストデバイスの無線ローカルエリアネットワーク（ＬＡＮ）デバイスから無線ネットワークのアクセスポイントに、該アクセスポイントから切り離す要求を送信するステップであって、該切り離す要求は、前記ホストデバイスに対する復帰イベントを監視する要求をさらに含んでいる、ステップと、
前記切離し要求の送信後に、前記無線ＬＡＮデバイスの送受信機のスイッチをオフにするステップと、
を含む方法。
【請求項２】
前記無線ネットワークが無線ＬＡＮを含んでいる、請求項１に記載の方法。
【請求項３】
イベントの発生に応答して前記無線ＬＡＮデバイスの前記送受信機のスイッチをオンにするステップをさらに含む、請求項１に記載の方法。
【請求項４】
所定期間後に、前記無線ＬＡＮデバイスの前記送受信機のスイッチをオンにするステップをさらに含む、請求項１に記載の方法。
【請求項５】
前記無線ＬＡＮデバイスの前記送受信機のスイッチをオンにするステップと、該送受信機のスイッチがオフであった間に前記ホストデバイスに対する少なくとも１つの復帰イベントが発生したか否かを問い合わせる要求を送信するステップと、をさらに含む、請求項１に記載の方法。
【請求項６】
ホストデバイスの無線ローカルエリアネットワーク（ＬＡＮ）デバイスから、アクセスポイントから切り離す要求を受信するステップであって、該切り離す要求は、前記ホストデバイスに対する少なくとも１つの復帰イベントを監視する要求をさらに含んでいる、ステップと、
復帰イベント状態に対する要求を受信することに応答して、前記ホストデバイスに対する少なくとも１つの復帰イベントが発生したか否かを示す復帰イベント状態を送信するステップと、
を含む方法。
【請求項７】
前記ホストデバイスに対する少なくとも１つの復帰イベントを監視するステップをさらに含む、請求項６に記載の方法。
【請求項８】
別のアクセスポイントから前記復帰イベント状態に対する前記要求を受信するステップと、
前記別のアクセスポイントに対し前記復帰イベント状態を送信するステップと、
をさらに含む、請求項６に記載の方法。
【請求項９】
前記ホストデバイスに対する少なくとも１つの復帰イベントが発生したと判断したことに応答して、前記アクセスポイントの関連テーブルにおいて前記無線ＬＡＮデバイスの状態を更新するステップをさらに含む、請求項６に記載の方法。
【請求項１０】
ホストデバイスの無線ローカルエリアネットワーク（ＬＡＮ）デバイスから無線ネットワークのアクセスポイントに、該アクセスポイントから切り離す要求（該切り離す要求は、前記ホストデバイスに対する復帰イベントを監視する要求をさらに含んでいる）を送信し、
前記切離し要求の送信後に、前記無線ＬＡＮデバイスの送受信機のスイッチをオフにする、
ように動作可能なアプリケーションロジックを具備するシステム。
【発明の詳細な説明】
【技術分野】
【０００１】
本発明は、包括的には通信の分野に関し、詳細には、無線ローカルエリアネットワークにおいて復帰（wake）イベントを監視するシステムおよび方法に関する。
【背景技術】
【０００２】
無線ローカルエリアネットワーク（ＬＡＮ）は、有線ローカルエリアネットワークとともにまたはその代わりに機能するために開発されてきた。無線ＬＡＮでは、無線ＬＡＮデバイスを備えた１つまたは複数のホストデバイスが、１つまたは複数の基地局またはアクセスポイントと通信する。アクセスポイントは、無線ＬＡＮと無線通信ネットワークとを橋渡しし、無線ＬＡＮのためのコントローラとしての機能を果たす。
【発明の開示】
【発明が解決しようとする課題】
【０００３】
ホストデバイスによる電力の消費は、特にホストデバイスがバッテリ式である場合、重大な関心事である。ホストデバイスの電源がオンとなっている限り、そのホストデバイスの無線ＬＡＮデバイスはオンである。無線ＬＡＮデバイスは、オンである間、アクセスポイントに信号を送信しアクセスポイントから信号を受信する。無線ＬＡＮデバイスによるこの連続した信号の送受信は、無線ＬＡＮデバイスの電力消費の大部分を占め、ホストデバイスのバッテリ電力に関して、かなりな量の不要な浪費をもたらす。
【課題を解決するための手段】
【０００４】
本発明の一実施形態によれば、方法は、ホストデバイスの無線ローカルエリアネットワーク（ＬＡＮ）デバイスから無線ネットワークのアクセスポイントへ、該アクセスポイントから切り離す要求を送信するステップであって、該切り離す要求は、上記ホストデバイスに対する復帰イベントを監視する要求をさらに含んでいる、ステップと、上記切離し要求の送信後に、上記無線ＬＡＮデバイスの送受信機のスイッチをオフにするステップと、を含む。
【０００５】
本発明の別の実施形態によれば、方法は、アクセスポイントから切り離す要求をホストデバイスの無線ローカルエリアネットワーク（ＬＡＮ）デバイスから受信するステップであって、該切り離す要求は、上記ホストデバイスに対する少なくとも１つの復帰イベントを監視する要求をさらに含んでいる、ステップと、復帰イベント状態に対する要求の受信に応答して、上記ホストデバイスに対する少なくとも１つの復帰イベントが発生したか否かを示す復帰イベント状態を送信するステップと、を含む。
【０００６】
本発明の別の実施形態によれば、ホストデバイスの無線ローカルエリアネットワーク（ＬＡＮ）デバイスから無線ネットワークのアクセスポイントへ、該アクセスポイントから切り離す要求を送信し、該切離し要求の送信後に、上記無線ＬＡＮデバイスの送受信機のスイッチをオフにするよう動作可能なアプリケーションロジックをシステムが備えており、上記切り離す要求は、上記ホストデバイスに対する復帰イベントを監視する要求をさらに含んでいる。
【０００７】
ここで、本発明とその目的および利点とがより完全に理解されるように、添付図面に関連する以下の説明を参照する。
【発明を実施するための最良の形態】
【０００８】
本発明の好ましい実施形態と利点とは、図面の図１乃至図４を参照することにより最もよく理解される。
【０００９】
図１は、本発明の実施形態による例示的な無線ネットワークの概略図である。例示的な実施形態では、無線ネットワークは、無線ローカルエリアネットワーク（ＷＬＡＮ）１０である。望ましい場合、無線ネットワークは、広域ネットワーク（ＷＡＮ）、全地球測位システム（ＧＰＳ）ネットワーク、メトロポリタンエリアネットワーク（ＭＡＮ）等であってもよい。ＷＬＡＮ１０は、複数のホストデバイス１２、たとえばポータブルコンピュータ、デスクトップコンピュータ、携帯電話、携帯情報端末（ＰＤＡ）、カメラ、プリンタ等と、少なくとも１つの中央コントローラまたはアクセスポイント（ＡＰ）１４と、を備える。
【００１０】
ＡＰ１４は、インターネット、イントラネット、エクストラネット等の通信ネットワーク１６に通信可能に結合される。ＡＰ１４を、通信ネットワーク１６に無線で結合してもよくまたはワイヤを用いて結合してもよい。ＡＰ１４は、アプリケーションロジック１３を備える。図３の方法６０と図４の方法８０とは、アプリケーションロジック１３の例である。例示的な実施形態では、ＡＰ１４は、関連テーブル１５を備える。
【００１１】
ホストデバイス１２は、無線ＬＡＮデバイス１６、たとえば、ＰＣＩ（ペリフェラル・コンポーネント・インターコネクト）カード、ＵＳＢ（ユニバーサル・シリアル・バス）、ＰＣＭＣＩＡ（パーソナル・コンピュータ・メモリ・カード国際協会）カード、ＳＤＩＯ（セキュア・デジタル・インプット・アウトプット）カード、ニューカード（NewCard）、カードバス（Cardbus）等の無線デバイスを備える。関連テーブル１５は、アクセスポイントに関連する無線ＬＡＮデバイスに関する情報を含む。無線ＬＡＮデバイス１６は、アクセスポイント１４に信号を送信しアクセスポイント１４から信号を受信するように動作可能な少なくとも１つの送受信機１８を備える。送受信機１８は、現在既知でありまたは後に開発される任意の送受信機、たとえば、無線送受信機、赤外線（ＩＲ）ポート、光ポート等を備える。代替実施形態では、無線ＬＡＮデバイスは、別々の送信機と受信機とを備える。望ましい場合、無線ＬＡＮデバイスを、ホストデバイスに取外し可能に結合してもよい。代替実施形態では、無線ＬＡＮデバイスは、ホストデバイスの一部ではなく、ホストデバイスに通信可能に結合される。ホストデバイス１２は、アプリケーションロジック１７を備える。図２の方法３０は、アプリケーションロジック１７の例である。
【００１２】
ＷＬＡＮ１０では、ホストデバイス１２は、無線ＬＡＮデバイス１６を用いてＡＰ１４に無線で通信するように動作可能である。ＡＰ１４は、ＡＰ１４の範囲内にある複数のホストデバイス１２間の通信を調整する。ＡＰ１４の範囲は、特に、通信のために使用されている無線ＬＡＮ規格によって決まる。無線ＬＡＮ規格は、現在既知でありまたは後に開発される任意の規格、たとえばＩＥＥＥ８０２．１１規格、ＨｉｐｅｒＬＡＮ／２（高性能無線ローカルエリアネットワーク／２）規格、ＨｉｐｅｒＬＡＮ／１規格等であってもよい。
【００１３】
図２は、本発明により無線ＬＡＮデバイスを動作させる方法３０の実施形態のフローチャートである。ブロック３２において、無線ＬＡＮデバイス１６（図１）等の無線ＬＡＮデバイスを、復帰イベントに関して初期化する。例示的な実施形態では、無線ＬＡＮデバイスが関連するホストデバイス、たとえばホストデバイス１２（図１）が低電力モード、たとえばスタンバイまたはハイバネーションモードに入る場合であっても、無線ＬＡＮデバイスを電源がオンのままであるように初期化しまたはセットアップする。望ましい場合、代替実施形態では、ホストデバイスの電源がオフである場合であっても、無線ＬＡＮデバイスを、電源がオンのままであるように初期化する。かかる代替実施形態では、無線ＬＡＮデバイスには、独立した電源によって電力を供給する。図２を参照すると、ブロック３４において、ホストデバイスが低電力モードに入っているか否かを判断する。ホストデバイスが低電力モードに入っていない場合、ブロック３４のプロセスを繰り返す。
【００１４】
ホストデバイスが低電力モードに入っている場合、ブロック３６において、無線ＬＡＮデバイスが関連するアクセスポイント、たとえば図１のアクセスポイント１４に、切離し要求が送信される。例示的な実施形態では、切離し要求は、アクセスポイントへの、無線ＬＡＮデバイスをアクセスポイントから切り離し、かつ無線ＬＡＮデバイスが関連するホストデバイスに関する復帰イベントを監視する要求を含む。例示的な実施形態では、復帰イベントは、ホストデバイスが復帰する、すなわち低電力モード以外のモード、たとえば動作モードで動作するように要求する任意のイベントを含む。かかる復帰イベントの例には、ＶｏＷＬＡＮ（無線ＬＡＮによる音声通話）メッセージまたは呼、管理コンソールからのウェイクオンＬＡＮパケット等がある。例示的な実施形態では、切離し要求を、管理または制御フレームの一部として送信する。管理フレームは、現在既知でありまたは後に開発される任意の管理フレームであってもよい。例示的な実施形態では、管理フレームは、無線ＬＡＮプロトコルの切離し要求フレームを含む。無線ＬＡＮデバイスから切離し要求を受信すると、アクセスポイントは、図３の方法６０のブロック６２で開始するプロセスを実行する。
【００１５】
図２を続けると、ブロック３８において、ホストデバイスを低電力モードに切り替える。代替実施形態では、ホストデバイスの電源をオフにする。ブロック４０では、無線ＬＡＮデバイスの送受信機、たとえば図１の送受信機１８のスイッチをオフにする。例示的な実施形態では、無線ＬＡＮデバイスの送受信機のみのスイッチをオフにする。無線ＬＡＮデバイスの他の要素、たとえば、メモリ、マイクロコントローラ等は、電源をオフにしない。代替実施形態では、無線ＬＡＮデバイスの他の要素のいくつかまたはすべての電源をオフにする。例示的な実施形態では、ブロック４０において、無線ＬＡＮデバイスはアクセスポイントから切り離される。
【００１６】
そして、無線ＬＡＮデバイスは、所定期間待機する（ブロック４２）。無線ＬＡＮデバイスが待機する期間は、設定可能であり、適用例によって決まってもよい。たとえば、期間を長くすることができる適用例もあり、期間が短いことが必要な適用例もある。所定期間中、送受信機は、電源がオフのままであり、信号を送信も受信もしない。したがって、無線ＬＡＮデバイスは、送受信機の電源がオフである時間の間に消費する電力が少なくなる。無線ＬＡＮデバイスが待機する期間を、無線ＬＡＮデバイスのユーザによりまたは他の誰かにより設定してもよい。望ましい場合、無線ＬＡＮデバイスが待機する期間を、手動でまたは自動的に設定してもよい。たとえば、一実施形態では、無線ＬＡＮデバイスを、一定期間待機するように構成する。代替実施形態では、無線ＬＡＮデバイスを、ホストデバイスのアクティビティに応じて可変期間待機するように構成する。たとえば、無線ＬＡＮデバイスは、ホストが長期間アクティブでなかったことを検出した場合、より長い期間待機する。
【００１７】
代替実施形態では、無線ＬＡＮデバイスは、イベントの発生を待つ。たとえば、無線ＬＡＮデバイスまたはホストデバイスに関連するデバイスは、無線ＬＡＮデバイスを復帰させてもよく、またはホストデバイスを、無線ＬＡＮデバイスが復帰しなければならないことを示して動作モードに切り替えてもよい。
【００１８】
ブロック４４において、無線ＬＡＮデバイスの送受信機のスイッチをオンにする。ブロック４６において、無線ＬＡＮデバイスが、それが切離し要求を送信した元のアクセスポイントの範囲内にあるか否かを判断する。無線ＬＡＮデバイスが、切離し要求を送信した元のアクセスポイントの範囲内にある場合、ブロック５０で開始するプロセスを実行する。そうでない場合、無線ＬＡＮデバイスは、それが範囲内に位置している新たなアクセスポイントの位置を特定する。そして、ブロック５０で開始するプロセスを実行する。
【００１９】
ブロック５０において、復帰イベント状態要求を、無線ＬＡＮデバイスが範囲内に位置しているアクセスポイントに送信する。復帰イベント状態要求を、無線ＬＡＮデバイスがホストデバイスに関連しているか否かに関わらずアクセスポイントに送信してもよい。復帰イベント状態要求は、送受信機の電源がオフであった間に、無線ＬＡＮデバイスが関連しているホストデバイスに対する何らかの復帰イベントが発生したか否かを問い合わせる要求である。望ましい場合、復帰イベント状態要求は、ホストデバイスに対する復帰イベントを監視している元のアクセスポイントの識別子、たとえばＩＰ（インターネットプロトコル）アドレスを含んでもよい。これは、特に、無線ＬＡＮデバイスがすでに元のアクセスポイントの範囲内にない場合に有用である。代替実施形態では、識別子は、アクセスポイントの基本サービスセット識別子（ＢＳＳＩＤ）である。例示的な実施形態では、ＢＳＳＩＤは、アクセスポイントのサービスセット識別子（ＳＳＩＤ）とイーサネット（登録商標）ポートＭＡＣ（媒体アクセス制御）アドレスとの組合せである。
【００２０】
例示的な実施形態では、復帰イベント状態要求を管理フレームの一部として送信する。管理フレームは、現在既知でありまたは後に開発される任意の管理フレームであってもよい。例示的な実施形態では、たとえば、無線ＬＡＮデバイスが元のアクセスポイントの範囲内にある場合、管理フレームは、無線ＬＡＮプロトコルの再関連付け（reassociate）要求フレームを含む。例示的な代替実施形態では、たとえば、無線ＬＡＮデバイスが元のアクセスポイントの範囲内にない場合、管理フレームは、無線ＬＡＮプロトコルのプローブ要求フレームを含む。この代替実施形態では、プローブ要求フレームはまた、無線ＬＡＮデバイスが切離し要求を送信した元のアクセスポイントの識別子、たとえばＩＰアドレスも含む。代替実施形態では、識別子は、アクセスポイントのＢＳＳＩＤである。アクセスポイントは、無線ＬＡＮデバイスから復帰イベント状態要求を受信すると、図４の方法８０のブロック８２で開始するプロセスを実行する。
【００２１】
図２を続けると、ブロック５２において、アクセスポイントから復帰イベント状態応答を受信する。復帰イベント状態応答は、無線ＬＡＮデバイスのスイッチがオフとなっている間に、何らかの復帰イベントが発生したか否かを示す状態応答である。例示的な実施形態では、復帰イベント状態応答を管理フレームの一部として送信する。管理フレームは、現在既知でありまたは後に開発される任意の管理フレームであってもよい。例示的な実施形態では、たとえば、無線ＬＡＮデバイスが元のアクセスポイントの範囲内にある場合、管理フレームは、無線ＬＡＮプロトコルの再関連付け応答フレームを含む。例示的な代替実施形態では、たとえば、無線ＬＡＮデバイスが新たなアクセスポイントを確定した場合、管理フレームは、無線ＬＡＮプロトコルのプローブ応答フレームを含む。
【００２２】
ブロック５４において、復帰イベント状態応答を検査することにより、無線ＬＡＮデバイスの送受信機のスイッチがオフとなっている間に復帰イベントが発生したか否かを判断する。その時間の間に復帰イベントが発生しなかったと判断された場合、ブロック４０で開始するプロセスを実行する。ブロック５４において、送受信機のスイッチがオフであった間に少なくとも１つの復帰イベントが発生したと判断される場合、ブロック５６で開始するプロセスを実行する。ブロック５６において、無線ＬＡＮデバイスが関連するホストデバイスを、低電源モード以外のモード、たとえば動作モードに切り替える。
【００２３】
図３は、本発明により無線ローカルエリアネットワークにおいて復帰イベントを監視する方法６０の実施形態のフローチャートである。ブロック６２において、無線ＬＡＮデバイスまたはホストデバイスからの、アクセスポイントに対しホストデバイスに関する復帰イベントを監視するように要求する切離し要求が受信される。
【００２４】
ブロック６４において、アクセスポイントは、切離し要求を受信した無線ＬＡＮデバイスに対応する、関連テーブル、たとえば図１の関連テーブル１５におけるエントリを更新する。無線ＬＡＮデバイスの状態を、関連テーブルにおいて復帰イベント監視状態にあるものとしてマークする。望ましい場合、関連テーブルにおける無線ＬＡＮデバイスに対する復帰イベント状態フラグをリセットする。例示的な実施形態では、アクセスポイントはまた、無線ＬＡＮデバイスと通信するよう試みないように、無線ＬＡＮデバイスに対するエントリをそのアクセスポイントにすでに関連していないものとしてマークする。
【００２５】
ブロック６６において、アクセスポイントは、ホストデバイスに対する復帰イベントの発生を監視する。例示的な実施形態では、アクセスポイントは、受信したデータパケットを監視することにより、そのデータパケットがそのホストデバイスに向けられたものであるか否かを判断する。代替実施形態では、アクセスポイントは、ホストデバイスを復帰させる要求を受信したか否かを判断するように監視する。復帰イベントが発生すると、ブロック６８で開始するプロセスを実行する。ブロック６８において、無線ＬＡＮデバイスに対する関連テーブルエントリの復帰イベント状態フラグを、ホストデバイスに対する復帰イベントが発生したことを示すように設定する。ホストデバイスに対し復帰イベントが発生すると、アクセスポイントは、そのホストデバイスに対する復帰イベントの監視を停止する。例示的な実施形態では、無線ＬＡＮデバイスはすでにアクセスポイントに関係していないため、アクセスポイントは、復帰イベント状態要求を受信するまで、その無線ＬＡＮデバイスまたはホストデバイスと通信するように試みない。
【００２６】
図４は、本発明により復帰イベント状態要求に応答する方法８０の実施形態のフローチャートである。ブロック８２において、復帰イベント状態要求を受信する。例示的な実施形態では、アクセスポイント、たとえばアクセスポイント１４（図１）により、ホストデバイス、たとえばホストデバイス１２、または無線ＬＡＮデバイス、たとえば無線ＬＡＮデバイス１６から、復帰イベント状態要求を受信する。アクセスポイントは、既知のまたは未知の無線ＬＡＮデバイスから復帰イベント状態要求を受信してもよい。
【００２７】
図４を参照すると、ブロック８４において、既知の無線ＬＡＮデバイスから復帰イベント状態要求を受信したか否かを判断する。例示的な実施形態では、アクセスポイントの関連テーブルを調べることにより、関連テーブルにおいてその無線ＬＡＮデバイスに対するエントリがあるか否かを判断する。既知の無線ＬＡＮデバイスから復帰イベント状態要求を受信した場合、ブロック９０で開始するプロセスを実行する。そうでない場合、ブロック８６で開始するプロセスを実行する。ブロック８６において、アクセスポイントは、無線ＬＡＮデバイスが要求を送信した元のアクセスポイントに対し、復帰イベントを監視する復帰イベント状態要求を送信する。例示的な実施形態では、アクセスポイントは、復帰イベント状態要求を、通信ネットワーク１６（図１）を介して元のアクセスポイントに送信する。図４を参照すると、ブロック８８において、元のアクセスポイントから復帰イベント状態応答を受信する。
【００２８】
ブロック９０において、送受信機のスイッチがオフであった間に復帰イベントが発生したか否かを示す復帰イベント状態応答を、無線ＬＡＮデバイスに送信する。例示的な実施形態では、無線ＬＡＮデバイスから復帰イベント状態要求を受信したアクセスポイントにより、復帰イベント状態応答を無線ＬＡＮデバイスに送信する。望ましい場合、復帰イベント状態応答を、元のアクセスポイントにより無線ＬＡＮデバイスに直接送信してもよい。
【００２９】
本発明の実施形態を、ソフトウェア、ハードウェア、アプリケーションロジック、またはソフトウェア、ハードウェアおよびアプリケーションロジックの組合せで実施することができる。ソフトウェア、アプリケーションロジックおよび／またはハードウェアは、ホストデバイス１２、アクセスポイント１４または無線ＬＡＮデバイス１６に存在することができる。望ましい場合、ソフトウェア、アプリケーションロジックおよび／またはハードウェアの一部は、ホストデバイス１２に存在してもよく、ソフトウェア、アプリケーションロジックおよび／またはハードウェアの一部は、アクセスポイント１４に存在してもよく、ソフトウェア、アプリケーションロジックおよび／またはハードウェアの一部は、無線ＬＡＮデバイス１６に存在してもよい。アプリケーションロジック、ソフトウェアまたは命令セットは、好ましくは、さまざまな従来のコンピュータ読取可能媒体のうちの任意のものに保持される。この文書の文脈において、「コンピュータ読取可能媒体」は、命令実行システム、装置またはデバイスによるかまたはそれに関連して使用される命令を、含み、格納し、通信し、伝播し、または移送することができる任意の手段であってよい。
【００３０】
望ましい場合、本明細書で説明したさまざまな機能を、任意の順序でかつ／または互いに同時に実行してもよい。さらに、望ましい場合、上述した機能のうちの１つまたは複数は任意であってもよく、またはそれらを結合してもよい。
【００３１】
本発明の例示的な実施形態の技術的利点は、無線ＬＡＮデバイス、故にホストデバイスによる電力消費が低減される、ということである。本発明の例示的な実施形態の別の技術的利点は、ホストデバイスが、１つのアクセスポイントから別のアクセスポイントにローミングすることができ、それでもなおホストデバイスに対する復帰イベントを監視させることができる、ということである。本発明の例示的な実施形態の別の技術的利点は、無線ＬＡＮデバイスの送受信機のスイッチを長期間オフにしてもよい、ということである。
【図面の簡単な説明】
【００３２】
【図１】本発明の実施形態による例示的な無線ネットワークの概略図である。
【図２】本発明による無線ローカルエリアネットワークデバイスを動作させる方法の実施形態のフローチャートである。
【図３】本発明による無線ローカルエリアネットワークにおいて復帰イベントを監視する方法の実施形態のフローチャートである。
【図４】本発明による復帰イベント状態要求に応答する方法の実施形態のフローチャートである。
【符号の説明】
【００３３】
１０：無線ＬＡＮ
１２：ホストデバイス
１３、１７：アプリケーションロジック
１４：アクセスポイント
１５：関連テーブル
１６：無線ＬＡＮデバイス
１８：送受信機
【図１】
2005287030.tif 000003
【図２】
2005287030.tif 000004
【図３】
2005287030.tif 000005
【図４】
2005287030.tif 000006